(57)【要約】  【課題】  顎位を矯正することができる顎位矯正装置を提供する。  【解決手段】  顎位矯正装置としての歯列の保定装置１０は、上顎及び下顎の少なくとも一方に取り付けられるプレート２０と、上顎の左側の歯及び下顎の左側の歯の間に挟まれる左側弾性部材としてのチューブ４１と、上顎の右側の歯及び下顎の右側の歯の間に挟まれる右側弾性部材としてのチューブ４２とを備え、プレート２０は、チューブ４１及びチューブ４２より前方で下顎の前歯に接触する前歯接触部としての斜面板２３を有し、斜面板２３は、下顎の前歯に接触している状態で前側ほど上側になるように傾斜していることを特徴とする。【選択図】  図１
2008183126.tif 000002
【特許請求の範囲】
【請求項１】
上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、
前記左側弾性部材及び前記右側弾性部材は、前記プレートと一体化されていることを特徴とする顎位矯正装置。
【請求項２】
上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、
前記プレートは、前記左側弾性部材及び前記右側弾性部材より前方で前記下顎の前歯に接触する前歯接触部を有し、
前記前歯接触部は、前記下顎の前記前歯に接触している状態で前側ほど上側になるように傾斜していることを特徴とする顎位矯正装置。
【請求項３】
前記左側弾性部材及び前記右側弾性部材は、前記プレートと一体化されていることを特徴とする請求項２に記載の顎位矯正装置。
【請求項４】
前記プレートに形成された溝部に対して前記左側弾性部材及び前記右側弾性部材を出し入れ可能に支持した支持部を備えることを特徴とする請求項１又は請求項３に記載の顎位矯正装置。
【請求項５】
前記プレートの左右方向の幅を拡大する拡大装置を備えることを特徴とする請求項１から請求項４までの何れかに記載の顎位矯正装置。
【請求項６】
歯列の矯正後に前記歯列を保定するための保定部を備えることを特徴とする請求項１から請求項５までの何れかに記載の顎位矯正装置。
【発明の詳細な説明】
【技術分野】
【０００１】
本発明は、上顎に対する下顎の位置、即ち顎位を矯正する顎位矯正装置に関する。
【背景技術】
【０００２】
従来、歯列を矯正する装置が知られている（例えば、特許文献１参照。）。
【特許文献１】特開２００６−３１４４１９号公報
【発明の開示】
【発明が解決しようとする課題】
【０００３】
歯列の矯正においては、顎位が正しい位置にないと、歯牙は正しく配列しない。正しい顎位で咀嚼トレーニングすることにより歯牙は正しい位置に移動し、歯並びは安定する。顎位が正しければ後退した下顎骨は前方に出やすくなり、このとき舌癖等の障害を改善すると元の正しい位置に戻り始める。また、顎位が正しい位置にない状態は、睡眠時無呼吸症、顎関節症、不定愁訴などの原因になることもある。
【０００４】
そこで、本発明は、顎位を矯正することができる顎位矯正装置を提供することを目的とする。
【課題を解決するための手段】
【０００５】
本発明の顎位矯正装置は、上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、前記左側弾性部材及び前記右側弾性部材は、前記プレートと一体化されていることを特徴とする。
【０００６】
この構成により、本発明の顎位矯正装置は、左側弾性部材及び右側弾性部材によって顎位を正しい位置に修正することができ、上顎の歯及び下顎の歯によって左側弾性部材及び右側弾性部材が繰り返し咬まれることによって、左側弾性部材及び右側弾性部材の弾力によって咀嚼筋を鍛えて神経筋の反射機構の改善により顎位を正しい位置に安定化させることができる。即ち、本発明の顎位矯正装置は、顎位を矯正することができる。
【０００７】
また、本発明の顎位矯正装置は、上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、前記プレートは、前記左側弾性部材及び前記右側弾性部材より前方で前記下顎の前歯に接触する前歯接触部を有し、前記前歯接触部は、下顎骨を正しい位置に誘導するために前記下顎の前記前歯に接触している状態で前側ほど上側になるように傾斜していることを特徴とする。
【０００８】
この構成により、本発明の顎位矯正装置は、左側弾性部材、右側弾性部材及び前歯接触部によって顎位を正しい位置に修正することができ、上顎の歯及び下顎の歯によって左側弾性部材及び右側弾性部材が繰り返し咬まれることによって、左側弾性部材及び右側弾性部材の弾力によって咀嚼筋を鍛えて神経筋の反射機構の改善により顎位を正しい位置に安定化させることができる。即ち、本発明の顎位矯正装置は、顎位を矯正することができる。
【０００９】
また、本発明の顎位矯正装置の前記左側弾性部材及び前記右側弾性部材は、前記プレートと一体化されていることが好ましい。
【００１０】
この構成により、本発明の顎位矯正装置は、左側弾性部材及び右側弾性部材がプレートとは完全に分離している構成と比較して、取り扱いを容易化することができる。
【００１１】
また、本発明の顎位矯正装置は、前記プレートに形成された溝部に対して前記左側弾性部材及び前記右側弾性部材を出し入れ可能に支持した支持部を備えることが好ましい。
【００１２】
この構成により、本発明の顎位矯正装置は、装着者が日常生活において話をするときなど、左側弾性部材及び右側弾性部材が不要であるときに左側弾性部材及び右側弾性部材を溝部に収納することができる。
【００１３】
また、本発明の顎位矯正装置は、前記プレートの左右方向の幅を拡大する拡大装置を備えることも可能である。
【００１４】
この構成により、本発明の顎位矯正装置は、顎位の矯正の基準となる上顎を拡大装置によって矯正することができるので、顎位の矯正の効果を向上することができる。
【００１５】
また、本発明の顎位矯正装置は、歯列の矯正後に前記歯列を保定するための保定部を備えていても良い。
【００１６】
この構成により、本発明の顎位矯正装置は、歯列の保定装置としても機能することができ、顎位の矯正によって歯列の矯正の効果も向上することができる。顎位の矯正により矯正治療を容易にすることが可能である。
【発明の効果】
【００１７】
本発明によれば、顎位を矯正することができる顎位矯正装置を提供することができる。
【発明を実施するための最良の形態】
【００１８】
以下、本発明の実施の形態について、図面を用いて説明する。
【００１９】
（第１の実施の形態）
まず、第１の実施の形態に係る顎位矯正装置としての歯列の保定装置の構成について説明する。
【００２０】
図１（ａ）は、プレート２０の溝部２１、２２の外部にチューブ４１、４２が出ている状態での本発明の第１の実施の形態に係る保定装置１０の上面図である。図１（ｂ）は、プレート２０の溝部２１、２２の外部にチューブ４１、４２が出ている状態での保定装置１０の底面図である。図２（ａ）は、プレート２０の溝部２１、２２の外部にチューブ４１、４２が出ている状態で上面側から見た保定装置１０の斜視図である。図２（ｂ）は、プレート２０の溝部２１、２２の外部にチューブ４１、４２が出ている状態で底面側から見た保定装置１０の斜視図である。図３は、上顎９２に装着されてプレート２０の溝部２１、２２の外部にチューブ４１、４２が出ている状態での保定装置１０の底面図である。図４は、上顎９２に装着されてプレート２０の溝部２１、２２の外部にチューブ４１、４２が出ている状態での保定装置１０の正面図である。図５は、上顎９２に装着されてプレート２０の溝部２１、２２の外部にチューブ４１、４２が出ている状態での保定装置１０の側面図である。図６は、上顎９２に装着された状態での保定装置１０の断面図である。
【００２１】
図１〜図６に示すように、本実施の形態に係る保定装置１０は、口蓋９１に取り付けられる樹脂製のプレート２０と、プレート２０に取り付けられて歯列の矯正後に歯列を保定するための保定部としての５本のワイヤ３０と、上顎９２の左側の歯及び下顎９３の左側の歯の間に挟まれる左側弾性部材としてのチューブ４１と、上顎９２の右側の歯及び下顎９３の右側の歯の間に挟まれる右側弾性部材としてのチューブ４２と、プレート２０に取り付けられてプレート２０の左側の溝部２１に対してチューブ４１を出し入れ可能に支持した支持部としてのワイヤ５１と、プレート２０に取り付けられてプレート２０の右側の溝部２２に対してチューブ４２を出し入れ可能に支持した支持部としてのワイヤ５２とを備えている。
【００２２】
プレート２０は、上面２０ａが口蓋９１の形状に沿って形成されていて、側面２０ｂが上顎９２の歯の口蓋９１側の側面の形状に沿って形成されている。プレート２０は、チューブ４１及びチューブ４２より前方で下顎９３の前歯９４に接触する前歯接触部としての斜面板２３を有している。また、プレート２０の斜面板２３は、下顎９３の前歯９４に接触している状態で前側ほど上側になるように傾斜している。
【００２３】
ワイヤ３０は、上顎９２の歯の表側の側面に接触する接触部３１と、プレート２０の内部に埋設された埋設部３２とを有している。
【００２４】
チューブ４１及びチューブ４２は、例えば外径３．３ｍｍ、内径２．１ｍｍの点滴用のシリコン製のチューブを適切な長さに切断して製造したものである。なお、チューブ４１及びチューブ４２は、定期的に交換されることが好ましい。
【００２５】
ワイヤ５１は、チューブ４１に挿入されてチューブ４１の位置を固定するチューブ固定部５１ａと、プレート２０の内部に埋設された埋設部５１ｂとを有している。同様に、ワイヤ５２は、チューブ４２に挿入されてチューブ４２の位置を固定するチューブ固定部５２ａと、プレート２０の内部に埋設された埋設部５２ｂとを有している。チューブ固定部５１ａは、適度の摩擦によってチューブ４１がずれなくなるように、ワイヤ５１の先端を折り曲げてチューブ４１の内径より太くしたものであり、チューブ４１の径方向の弾性を利用してチューブ４１の位置を固定するものである。チューブ固定部５２ａも、同様のものである。
【００２６】
次に、保定装置１０の機能について説明する。
【００２７】
図７は、保定装置１０の装着者の下顎９３の斜視図である。
【００２８】
顎位のズレとしては、図７に示すように、矢印９０ａで示す前後方向のズレと、矢印９０ｂで示す左右方向のズレと、矢印９０ｃで示す上下方向に延在する軸周りのズレである矢印９０ｄで示すヨーイング方向のズレと、矢印９０ａで示す前後方向に延在する軸周りのズレである矢印９０ｅで示すローリング方向のズレと、矢印９０ｂで示す左右方向に延在する軸周りのズレである矢印９０ｆで示すピッチング方向のズレとがある。
【００２９】
＜前後方向の顎位のズレの矯正＞
図５及び図６に示すように、上顎９２及び下顎９３が閉じられてプレート２０の斜面板２３に下顎９３の前歯９４が接触すると、斜面板２３の傾斜によって上顎９２に対する下顎９３の前歯９４の位置が前方の正しい位置に移動させられる。したがって、矢印９０ａで示す前後方向の顎位のズレが修正される。特に、保定装置１０の装着者が子供の場合、上顎９２の歯及び下顎９３の歯によってチューブ４１（図１参照。）及びチューブ４２が繰り返し咬まれると、下顎９３の発育が促されて上顎９２に対する下顎９３の位置が前方の正しい位置に移動しやすい。矢印９０ａで示す前後方向の顎位のズレが修正された状態で上顎９２の歯及び下顎９３の歯によってチューブ４１及びチューブ４２が繰り返し咬まれると、チューブ４１及びチューブ４２の弾力によって咀嚼筋が鍛えられて神経筋の反射機構が改善し、Ｌｉｐ  Ｓｅａｌ（口を閉じて鼻呼吸すること）が可能になり顎位が安定化する。即ち、矢印９０ａで示す前後方向の顎位のズレは、矯正される。
【００３０】
＜左右方向の顎位のズレの矯正＞
図４に示すように、保定装置１０の装着者は、矢印９０ｂで示す左右方向の顎位の正しい位置について歯科医師などによって指導を受け、矢印９０ｂで示す左右方向の顎位が正しい位置になるようにチューブ４１、チューブ４２及び斜面板２３（図１参照。）を基準にして常に意識する。矢印９０ｂで示す左右方向の顎位のズレが修正された状態で上顎９２の歯及び下顎９３の歯によってチューブ４１及びチューブ４２が繰り返し咬まれると、チューブ４１及びチューブ４２の弾力によって咀嚼筋が鍛えられて神経筋の反射機構の改善により顎位が安定化する。即ち、矢印９０ｂで示す左右方向の顎位のズレは、矯正される。
【００３１】
＜ヨーイング方向の顎位のズレの矯正＞
図４に示すように、保定装置１０の装着者は、矢印９０ｄ（図７参照。）で示すヨーイング方向の顎位の正しい位置について歯科医師などによって指導を受け、矢印９０ｄで示すヨーイング方向の顎位が正しい位置になるようにチューブ４１、チューブ４２及び斜面板２３（図１参照。）を基準にして常に意識する。矢印９０ｄで示すヨーイング方向の顎位のズレが修正された状態で上顎９２の歯及び下顎９３の歯によってチューブ４１及びチューブ４２が繰り返し咬まれると、チューブ４１及びチューブ４２の弾力によって咀嚼筋が鍛えられて神経筋の反射機構の改善により顎位が安定化する。即ち、矢印９０ｄで示すヨーイング方向の顎位のズレは、矯正される。なお、装着者は、チューブ４１及びチューブ４２を咬まなくても、チューブ４１及びチューブ４２の弾性によって、安静位で歯がチューブ４１及びチューブ４２に軽く触れる状態で、顎位が改善される。左右のうち傾いている方の歯がチューブに強く当たることにより、顎位が改善され、筋緊張がとれる。
【００３２】
＜ローリング方向の顎位のズレの矯正＞
図４に示すように、上顎９２及び下顎９３が閉じられてチューブ４１及びチューブ４２が咬まれると、チューブ４１及びチューブ４２のうち強く咬まれている方を支点にして下顎９３に矢印９０ｅで示すローリング方向の力が加わり、矢印９０ｅで示すローリング方向の顎位のズレが修正される。矢印９０ｅで示すローリング方向の顎位のズレが修正された状態で上顎９２の歯及び下顎９３の歯によってチューブ４１及びチューブ４２が繰り返し咬まれると、チューブ４１及びチューブ４２の弾力によって咀嚼筋が鍛えられて神経筋の反射機構の改善により顎位が安定化する。即ち、矢印９０ｅで示すローリング方向の顎位のズレは、矯正される。
【００３３】
＜ピッチング方向の顎位のズレの矯正＞
図５に示すように、上顎９２及び下顎９３が閉じられてチューブ４１（図１参照。）及びチューブ４２が咬まれると、チューブ４１及びチューブ４２を支点にして下顎９３に矢印９０ｆで示すピッチング方向の力が加わり、矢印９０ｆで示すピッチング方向の顎位のズレが修正される。矢印９０ｆで示すピッチング方向の顎位のズレが修正された状態で上顎９２の歯及び下顎９３の歯によってチューブ４１及びチューブ４２が繰り返し咬まれると、チューブ４１及びチューブ４２の弾力によって咀嚼筋が鍛えられて神経筋の反射機構の改善により顎位が安定化する。即ち、矢印９０ｆで示すピッチング方向の顎位のズレは、矯正される。
【００３４】
以上に説明したように、保定装置１０は、チューブ４１及びチューブ４２の弾性により安静位における顎位の安定が可能となる。また、保定装置１０は、チューブ４１、チューブ４２及び斜面板２３によって顎位を正しい位置に修正することができ、上顎９２の歯及び下顎９３の歯によってチューブ４１及びチューブ４２が繰り返し咬まれることによって、チューブ４１及びチューブ４２の弾力によって咀嚼筋が鍛えられて神経筋の反射機構の改善により顎位を正しい位置に安定化させることができる。即ち、保定装置１０は、顎位を矯正することができる。顎位が矯正されると、咀嚼運動のリズムと、咀嚼運動の経路とが正常化される。
【００３５】
なお、保定装置１０は、チューブ４１及びチューブ４２が装着者の歯根膜の反射を通して装着者に正しい顎位を知らせるので、装着者が寝ている間でも顎位を維持することができる。即ち、安静位における顎位を自動的に修正してくれる。
【００３６】
顎位が矯正されることによって、例えば次に挙げるような効果を得ることができる。
【００３７】
＜歯列矯正における効果＞
保定装置１０によって顎位が矯正されると、口腔９５（図６参照。）の容積が増すので、咽頭９６（図６参照。）の内径が増す。口腔９５の容積が増し、咽頭９６の内径が増すと、舌９７（図６参照。）の位置、即ち舌位が改善される。舌位が改善されると、舌９７の癖、即ち舌癖が防止されるので、舌癖によって歯列が崩れることが防止される。また、咽頭９６の内径が増すと、Ｌｉｐ  Ｓｅａｌが可能となる。即ち、鼻９８（図６参照。）で息をすることが容易になるので、唇９９（図６参照。）を閉じることができ、唇９９によって歯列を押さえることができる。したがって、矯正された歯列が維持される。
【００３８】
＜睡眠時無呼吸症に対する効果＞
保定装置１０によって顎位が矯正されると、口腔９５の容積が増すので、咽頭９６の内径が増す。上述したように、保定装置１０は、装着者が寝ている間でも顎位を正しい位置に維持することができるので、装着者が寝ている間でも咽頭９６の内径を広がった状態で維持することができる。したがって、睡眠時無呼吸症を改善することができる。
【００３９】
＜顎関節症に対する効果＞
保定装置１０によって顎位が矯正されると、関節頭と関節窩が正しい配置になり、顎関節の関節頭部の再生が行われるとともに、顎関節の痛みが取れる。また、保定装置１０によって顎位の安静位が確立されて咽頭筋の緊張が除去されるので、かみしめやくいしばりが防止され、顎関節症を予防することができる。
【００４０】
＜不定愁訴に対する効果＞
保定装置１０によって顎位が矯正されると、体に対する３次元的顎位のひずみがとれ、それにより全身の姿勢が改善され、不定愁訴が改善する。
【００４１】
なお、保定装置１０は、プレート２０に形成された溝部２１及び溝部２２に対してチューブ４１及びチューブ４２を出し入れ可能に支持しているので、装着者が日常生活において話をするときなど、チューブ４１及びチューブ４２が不要であるときに図８及び図９に示すようにチューブ４１及びチューブ４２を溝部２１及び溝部２２に収納することができる。
【００４２】
図８（ａ）は、プレート２０の溝部２１、２２の内部にチューブ４１、４２が収納されている状態で上面側から見た保定装置１０の斜視図である。図８（ｂ）は、プレート２０の溝部２１、２２の内部にチューブ４１、４２が収納されている状態で底面側から見た保定装置１０の斜視図である。図９は、上顎９２に装着されてプレート２０の溝部２１、２２の内部にチューブ４１、４２が収納されている状態での保定装置１０の底面図である。
【００４３】
また、保定装置１０は、チューブ４１及びチューブ４２がワイヤ５１及びワイヤ５２を介してプレート２０と一体化されているので、チューブ４１及びチューブ４２がプレート２０とは完全に分離している構成と比較して、取り扱いを容易化することができる。
【００４４】
なお、チューブ４１及びチューブ４２は、本実施の形態において収納可能になっているが、本発明によれば、収納できないようになっていても良い。
【００４５】
また、チューブ４１及びチューブ４２は、本実施の形態において上顎９２の第一小臼歯の位置に取り付けられているが、第一小臼歯の位置に限らず、保定装置１０の装着者の顎位のズレに応じた適切な位置に取り付けられていれば良い。例えば、保定装置１０の装着者の顎位が比較的後方でピッチング方向にズレている場合、上顎９２の第一大臼歯の位置に取り付けられていても良い。
【００４６】
また、チューブ４１及びチューブ４２は、本実施の形態においてシリコン製であるが、口の中に入れても問題ないことと、弾性とを満たすのであれば、シリコン以外の材質であっても良い。
【００４７】
また、左側弾性部材及び右側弾性部材は、本実施の形態においてチューブ４１及びチューブ４２であるが、本発明によれば、チューブ以外の弾性部材であっても良い。
【００４８】
また、保定装置１０は、本実施の形態において５本のワイヤ３０を有しているが、本実施の形態に示した構成以外の構成であっても良い。
【００４９】
また、保定装置１０は、チューブ４１及びチューブ４２より前方で下顎９３の前歯９４に接触する前歯接触部として斜面板２３を有しているが、前歯接触部として機能する構成がある場合、いわゆる斜面板を有していなくても良い。例えば、プレート２０にチューブ４１及びチューブ４２が取り付けられる加工が施される際に、プレート２０に生じる盛り上がりが前歯接触部として利用されるようになっていても良い。
【００５０】
また、保定装置１０は、本実施の形態において前歯接触部を有しているが、前歯接触部を有していなくても良い。
【００５１】
また、顎位矯正装置は、本実施の形態において歯列の保定装置であるが、本発明によれば、歯列の矯正装置であっても良いし、歯列の矯正装置や保定装置でなくても良い。
【００５２】
（第２の実施の形態）
まず、第２の実施の形態に係る顎位矯正装置としての歯列の保定装置の構成について説明する。
【００５３】
なお、本実施の形態に係る歯列の保定装置の構成のうち第１の実施の形態に係る保定装置１０（図１参照。）の構成と同様な構成については、保定装置１０の構成と同一の符号を付して詳細な説明を省略する。
【００５４】
図１０は、上顎９２に装着されてプレート１２０の溝部２１、２２の外部にチューブ４１、４２が出ている状態での本発明の第２の実施の形態に係る保定装置１１０の底面図である。
【００５５】
図１０に示すように、本実施の形態に係る歯列の保定装置１１０の構成は、左プレート１２０Ａと、右プレート１２０Ｂとに分割された樹脂製のプレート１２０を保定装置１０（図１参照。）がプレート２０（図１参照。）に代えて備え、左プレート１２０Ａ及び右プレート１２０Ｂを接続してプレート１２０の矢印９０ｂで示す左右方向の幅を拡大する拡大装置１３０を保定装置１０が更に備えた構成と同様である。
【００５６】
次に、保定装置１１０の機能について説明する。
【００５７】
保定装置１１０は、拡大装置１３０のネジ１３１が回されることによって左プレート１２０Ａと、右プレート１２０Ｂとが離れて、プレート１２０の矢印９０ｂで示す左右方向の幅が拡大し、装着者の上顎９２の矢印９０ｂで示す左右方向の幅を拡大する。
【００５８】
なお、保定装置１１０は、第１の実施の形態に係る保定装置１０の機能も備えている。
【００５９】
＜装着者が子供の場合の効果＞
装着者の上顎９２の矢印９０ｂで示す左右方向の幅が拡大すると、上顎９２の前部が下方ではなく前方に成長する。また、上顎９２の幅が拡大した状態で、上顎９２の歯及び下顎９３（図６参照。）の歯によってチューブ４１及びチューブ４２が繰り返し咬まれることによって、上顎９２の前部が更に前方に成長する。即ち、上顎９２の成長方向を垂直方向から前方方向へ変えることができる。
【００６０】
上顎９２の前部が下方ではなく前方に成長すると、上顎９２の歯が正しく並ぶためのスペースが上顎９２に生まれるので、上顎９２の歯列が改善される。したがって、口腔９５（図６参照。）の容積が増加して、咽頭９６（図６参照。）の内径が増す。口腔９５の容積が増し、咽頭９６の内径が増すと、舌位が改善される。
【００６１】
そして、舌位が改善されると、下顎９３の移動が舌９７（図６参照。）によって妨げられないので、顎位が正常な位置に移動しやすくなる。
【００６２】
以上に説明したように、保定装置１１０は、拡大装置１３０によって上顎９２を矯正することができるので、顎位の矯正の効果を向上することができる。
【００６３】
なお、上顎９２の成長方向が垂直方向から前方方向に変わると、下顎頭も成長して下顎９３も前方に出る。このように、顔面が正しく成長して、いわゆるＤｏｌｉｃｈｏ（長顔型の顔貌）からいわゆるＢｒａｃｈｙｏ（短顔型の顔貌）へと顔貌が改善するケースも多い。
【００６４】
＜睡眠時無呼吸症に対する効果＞
装着者の上顎９２の幅が拡大すると、咽頭９６の周囲の組織の圧力が低下するので、咽頭９６の内径が増す。したがって、睡眠時無呼吸症を改善することができる。
【００６５】
（第３の実施の形態）
第３の実施の形態に係る顎位矯正装置としての歯列の保定装置の構成について説明する。
【００６６】
なお、本実施の形態に係る歯列の保定装置の構成のうち第１の実施の形態に係る保定装置１０（図１参照。）の構成と同様な構成については、保定装置１０の構成と同一の符号を付して詳細な説明を省略する。
【００６７】
図１１（ａ）は、上面側から見た本発明の第３の実施の形態に係る保定装置２１０の斜視図である。図１１（ｂ）は、底面側から見た保定装置２１０の斜視図である。図１２は、上顎９２に装着されている状態での保定装置２１０の正面図である。
【００６８】
図１１及び図１２に示すように、本実施の形態に係る歯列の保定装置２１０の構成は、プレート２０（図１参照。）と、チューブ４１、４２（図１参照。）とに代えて樹脂製のプレート２２０と、チューブ２３０とを保定装置１０（図１参照。）が備え、ワイヤ５１、５２（図１参照。）を保定装置１０が備えていない構成と同様である。
【００６９】
プレート２２０の構成は、プレート２０が溝部２１、２２（図１参照。）を備えていない構成と同様である。
【００７０】
チューブ２３０は、点滴用のシリコン製のチューブを適切な長さに切断して製造した１本のチューブであり、上顎９２の左側の歯及び下顎９３の左側の歯の間に挟まれる左側弾性部材と、上顎９２の右側の歯及び下顎９３の右側の歯の間に挟まれる右側弾性部材とを構成している。
【００７１】
即ち、保定装置２１０の構成は、チューブ２３０がプレート２２０とは完全に分離している構成である。
【００７２】
保定装置２１０の機能は、保定装置１０の機能と同様である。
【００７３】
（第４の実施の形態）
以上の実施の形態においては、上顎９２に装着される保定装置について説明したが、下顎９３に装着される保定装置であっても、もちろん良い。第４の実施の形態に係る顎位矯正装置として、下顎９３に装着される歯列の保定装置の構成について説明する。
【００７４】
図１３（ａ）は、プレート３２０の溝部３２１、３２２の外部にチューブ３４１、３４２が出ている状態での本発明の第４の実施の形態に係る保定装置３１０の上面図である。図１３（ｂ）は、プレート３２０の溝部３２１、３２２の外部にチューブ３４１、３４２が出ている状態での保定装置３１０の底面図である。図１４は、下顎９３に装着されてプレート３２０の溝部３２１、３２２の外部にチューブ３４１、３４２が出ている状態での保定装置３１０の底面図である。
【００７５】
図１３及び図１４に示すように、本実施の形態に係る保定装置３１０は、左プレート３２０Ａと、右プレート３２０Ｂとに分割されて下顎９３に取り付けられる樹脂製のプレート３２０と、左プレート３２０Ａ及び右プレート３２０Ｂを接続してプレート３２０の矢印９０ｂで示す左右方向の幅を拡大する拡大装置３２５と、プレート３２０に取り付けられて歯列の矯正後に歯列を保定するための保定部としての３本のワイヤ３３０と、上顎９２（図４参照。）の左側の歯及び下顎９３の左側の歯の間に挟まれる左側弾性部材としてのチューブ３４１と、上顎９２の右側の歯及び下顎９３の右側の歯の間に挟まれる右側弾性部材としてのチューブ３４２と、プレート３２０に取り付けられてプレート３２０の左側の溝部３２１に対してチューブ３４１を出し入れ可能に支持した支持部としてのワイヤ３５１と、プレート３２０に取り付けられてプレート３２０の右側の溝部３２２に対してチューブ３４２を出し入れ可能に支持した支持部としてのワイヤ３５２とを備えている。
【００７６】
プレート３２０は、底面３２０ａが下顎９３の形状に沿って形成されていて、側面３２０ｂが下顎９３の歯の舌９７（図６参照。）側の側面の形状に沿って形成されている。
【００７７】
ワイヤ３３０は、下顎９３の歯の表側の側面に接触する接触部３３１と、プレート３２０の内部に埋設された埋設部３３２とを有している。
【００７８】
チューブ３４１及びチューブ３４２は、例えば外径３．３ｍｍ、内径２．１ｍｍの点滴用のシリコン製のチューブを適切な長さに切断して製造したものである。なお、装着者がチューブ３４１及びチューブ３４２を咬み易くするため、外部から負荷がかかっていない状態におけるチューブ３４１及びチューブ３４２の形状は、真直ぐな形状ではなく、下顎９３の歯の形状に合わせて曲げられた形状であっても良い。
【００７９】
ワイヤ３５１は、チューブ３４１に挿入されてチューブ３４１の位置を固定するチューブ固定部３５１ａと、プレート３２０の内部に埋設された埋設部３５１ｂとを有している。同様に、ワイヤ３５２は、チューブ３４２に挿入されてチューブ３４２の位置を固定するチューブ固定部３５２ａと、プレート３２０の内部に埋設された埋設部３５２ｂとを有している。チューブ固定部３５１ａは、適度の摩擦によってチューブ３４１がずれなくなるように、ワイヤ３５１の先端を折り曲げてチューブ３４１の内径より太くしたものであり、チューブ３４１の径方向の弾性を利用してチューブ３４１の位置を固定するものである。チューブ固定部３５２ａも、同様のものである。
【図面の簡単な説明】
【００８０】
【図１】（ａ）プレートの溝部の外部にチューブが出ている状態での本発明の第１の実施の形態に係る保定装置の上面図である。  （ｂ）プレートの溝部の外部にチューブが出ている状態での図１（ａ）に示す保定装置の底面図である。
【図２】（ａ）プレートの溝部の外部にチューブが出ている状態で上面側から見た図１に示す保定装置の斜視図である。  （ｂ）プレートの溝部の外部にチューブが出ている状態で底面側から見た図１に示す保定装置の斜視図である。
【図３】上顎に装着されてプレートの溝部の外部にチューブが出ている状態での図１に示す保定装置の底面図である。
【図４】上顎に装着されてプレートの溝部の外部にチューブが出ている状態での図１に示す保定装置の正面図である。
【図５】上顎に装着されてプレートの溝部の外部にチューブが出ている状態での図１に示す保定装置の側面図である。
【図６】上顎に装着された状態での図１に示す保定装置の断面図である。
【図７】図１に示す保定装置の装着者の下顎の斜視図である。
【図８】（ａ）プレートの溝部の内部にチューブが収納されている状態で上面側から見た図１に示す保定装置の斜視図である。  （ｂ）プレートの溝部の内部にチューブが収納されている状態で底面側から見た図１に示す保定装置の斜視図である。
【図９】上顎に装着されてプレートの溝部の内部にチューブが収納されている状態での図１に示す保定装置の底面図である。
【図１０】上顎に装着されてプレートの溝部の外部にチューブが出ている状態での本発明の第２の実施の形態に係る保定装置の底面図である。
【図１１】（ａ）上面側から見た本発明の第３の実施の形態に係る保定装置の斜視図である。  （ｂ）底面側から見た図１１（ａ）に示す保定装置の斜視図である。
【図１２】上顎に装着されている状態での図１１に示す保定装置の正面図である。
【図１３】（ａ）プレートの溝部の外部にチューブが出ている状態での本発明の第４の実施の形態に係る保定装置の上面図である。  （ｂ）プレートの溝部の外部にチューブが出ている状態での図１３（ａ）に示す保定装置の底面図である。
【図１４】下顎に装着されてプレートの溝部の外部にチューブが出ている状態での図１３に示す保定装置の上面図である。
【符号の説明】
【００８１】
１０  保定装置（顎位矯正装置）
２０  プレート
２１、２２  溝部
２３  斜面板（前歯接触部）
３０  ワイヤ（保定部）
４１  チューブ（左側弾性部材）
４２  チューブ（右側弾性部材）
５１、５２  ワイヤ（支持部）
９１  口蓋
９２  上顎
９３  下顎
９４  前歯
１１０  保定装置（顎位矯正装置）
１２０  プレート
１３０  拡大装置
２１０  保定装置（顎位矯正装置）
２２０  プレート
２３０  チューブ（左側弾性部材、右側弾性部材）
３１０  保定装置（顎位矯正装置）
３２０  プレート
３２１、３２２  溝部
３２５  拡大装置
３３０  ワイヤ（保定部）
３４１  チューブ（左側弾性部材）
３４２  チューブ（右側弾性部材）
３５１、３５２  ワイヤ（支持部）
【図１】
2008183126.tif 000003
【図２】
2008183126.tif 000004
【図３】
2008183126.tif 000005
【図４】
2008183126.tif 000006
【図５】
2008183126.tif 000007
【図６】
2008183126.tif 000008
【図７】
2008183126.tif 000009
【図８】
2008183126.tif 000010
【図９】
2008183126.tif 000011
【図１０】
2008183126.tif 000012
【図１１】
2008183126.tif 000013
【図１２】
2008183126.tif 000014
【図１３】
2008183126.tif 000015
【図１４】
2008183126.tif 000016
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、
前記左側弾性部材及び前記右側弾性部材は、歯列と交差する方向に延在していることを特徴とする顎位矯正装置。
【請求項２】
前記プレートは、前記左側弾性部材及び前記右側弾性部材より前方で前記下顎の前歯に接触する前歯接触部を有し、前記上顎に取り付けられ、
前記前歯接触部は、前記下顎の前記前歯に接触している状態で前側ほど上側になるように傾斜していることを特徴とする請求項１に記載の顎位矯正装置。
【請求項３】
前記左側弾性部材及び前記右側弾性部材は、前記プレートと一体化されていることを特徴とする請求項１又は請求項２に記載の顎位矯正装置。
【請求項４】
前記プレートに形成された溝部に対して前記左側弾性部材及び前記右側弾性部材を出し入れ可能に支持した支持部を備えることを特徴とする請求項３に記載の顎位矯正装置。
【請求項５】
前記プレートの左右方向の幅を拡大する拡大装置を備えることを特徴とする請求項１から請求項４までの何れかに記載の顎位矯正装置。
【請求項６】
歯列の矯正後に前記歯列を保定するための保定部を備えることを特徴とする請求項１から請求項５までの何れかに記載の顎位矯正装置。
【手続補正２】
【補正対象書類名】明細書
【補正対象項目名】０００５
【補正方法】変更
【補正の内容】
【０００５】
本発明の顎位矯正装置は、上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、前記左側弾性部材及び前記右側弾性部材は、歯列と交差する方向に延在していることを特徴とする。
【手続補正３】
【補正対象書類名】明細書
【補正対象項目名】０００７
【補正方法】変更
【補正の内容】
【０００７】
また、本発明の顎位矯正装置の前記プレートは、前記左側弾性部材及び前記右側弾性部材より前方で前記下顎の前歯に接触する前歯接触部を有し、前記上顎に取り付けられ、前記前歯接触部は、下顎骨を正しい位置に誘導するために前記下顎の前記前歯に接触している状態で前側ほど上側になるように傾斜していることを特徴とする。
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、
前記左側弾性部材及び前記右側弾性部材は、歯列と交差する方向に延在しているチューブであることを特徴とする顎位矯正装置。
【請求項２】
前記プレートは、前記左側弾性部材及び前記右側弾性部材より前方で前記下顎の前歯に接触する前歯接触部を有し、前記上顎に取り付けられ、
前記前歯接触部は、前記下顎の前記前歯に接触している状態で前側ほど上側になるように傾斜していることを特徴とする請求項１に記載の顎位矯正装置。
【請求項３】
前記左側弾性部材及び前記右側弾性部材は、前記プレートと一体化されていることを特徴とする請求項１又は請求項２に記載の顎位矯正装置。
【請求項４】
前記プレートに形成された溝部に対して前記左側弾性部材及び前記右側弾性部材を出し入れ可能に支持した支持部を備えることを特徴とする請求項３に記載の顎位矯正装置。
【請求項５】
前記プレートの左右方向の幅を拡大する拡大装置を備えることを特徴とする請求項１から請求項４までの何れかに記載の顎位矯正装置。
【請求項６】
歯列の矯正後に前記歯列を保定するための保定部を備えることを特徴とする請求項１から請求項５までの何れかに記載の顎位矯正装置。
【手続補正２】
【補正対象書類名】明細書
【補正対象項目名】０００５
【補正方法】変更
【補正の内容】
【０００５】
本発明の顎位矯正装置は、上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、前記左側弾性部材及び前記右側弾性部材は、歯列と交差する方向に延在しているチューブであることを特徴とする。